(57)【要約】【課題】別の撮像装置に手動で各種設定を行わなくてもよくする。撮像装置相互の機種タイプの相違に応じた設定を行えるようにする。【解決手段】ディジタルカメラ１０からディジタルカメラ１０本体に設定されている撮影モードの設定情報をＵＳＢケーブル３０を介して送信し、ディジタルカメラ２０でディジタルカメラ１０から送信された撮影モードの設定情報を受信することによって撮影モードの設定情報を転送する。この転送に先立って、ディジタルカメラ１０ではディジタルカメラ２０の機種タイプを所得して、ディジタルカメラ１０本体に設定されている撮影モードの設定情報をディジタルカメラ２０で使用可能に変更しておく。【選択図】    図１
2005010627.tif 000002
【特許請求の範囲】
【請求項１】
第１撮像装置から第１撮像装置本体に設定されている撮影モードの設定情報を送信し、第２撮像装置で前記第１撮像装置から送信された撮影モードの設定情報を受信することによって撮影モードの設定情報を転送する撮影モードの設定情報転送システムであって、
前記第１撮像装置は、
撮像装置の機種タイプと機種タイプに応じた撮影モードの設定情報の変換値とが対応させて記憶されている記憶手段と、
前記第２撮像装置側に対して第２撮像装置本体の機種タイプを送信するように命令する命令手段と、
前記命令手段からの命令に応じて第２撮像装置側から送信された機種タイプに対応する変換値を前記記憶手段から読み出して第１撮像装置本体に設定されている撮影モードの設定情報を当該変換値に基づいて前記第２撮像装置本体で使用可能な撮影モードの設定情報に変換する変換手段と、
前記変換手段によって変換された撮影モードの設定情報を前記第２撮像装置に送信する設定情報送信手段とを備え、
前記第２撮像装置は、
前記命令手段からの命令に応じて第２撮像装置本体の機種タイプを前記第１撮像装置に送信する機種タイプ送信手段と、
前記設定情報送信手段によって送信された撮影モードの設定情報を受信する受信手段と、
第２撮像装置の設定情報を前記受信手段によって受信された撮影モードの設定情報に更新する更新手段とを備えることを特徴とする撮影モードの設定情報転送システム。
【請求項２】
第１撮像装置から第１撮像装置本体に設定されている撮影モードの設定情報を送信し、第２撮像装置で前記第１撮像装置から送信された撮影モードの設定情報を受信することによって撮影モードの設定情報を転送する撮影モードの設定情報転送システムであって、
前記第１撮像装置は、
前記第２撮像装置側からの命令に応じて第１撮像装置本体に設定されている撮影モードの設定情報を当該第２撮像装置に送信する設定情報送信手段と、
前記第２撮像装置側からの命令に応じて第１撮像装置本体の機種タイプを当該第２撮像装置側に送信する機種タイプ送信手段とを備え、
前記第２撮像装置は、
撮像装置の機種タイプと機種タイプに応じた撮影モードの設定情報の変換値とが対応させて記憶されている記憶手段と、
前記第１撮像装置に対して第１撮像装置本体に設定されている撮影モードの設定情報及び当該第１撮像装置本体の機種タイプを送信するように命令する命令手段と、
前記設定情報送信手段から送信された撮影モードの設定情報を受信する設定情報受信手段と、
前記機種タイプ送信手段から送信された機種タイプを受信する機種タイプ受信手段と、
前記機種タイプ受信手段によって受信された機種タイプに対応する変換値を前記記憶手段から読み出して前記設定情報受信手段によって受信された第１撮像装置本体の撮影モードの設定情報を当該変換値に基づいて第２撮像装置本体で使用可能な撮影モードの設定情報に変換する変換手段と、
第２撮像装置の設定情報を前記変換手段によって変換された撮影モードの設定情報に更新する更新手段とを備えることを特徴とする撮影モードの設定情報転送システム。
【請求項３】
第１撮像装置から第１撮像装置本体に設定されている撮影モードの設定情報を情報処理装置に対して送信し、前記情報処理装置で前記第１撮像装置に設定されている撮影モードの設定情報を当該変換値に基づいて第２撮像装置本体で使用可能な撮影モードの設定情報に変換してから当該第２撮像装置に送信することによって撮影モードの設定情報を転送する撮影モードの設定情報転送システムであって、
前記第１撮像装置は、
前記情報処理装置側からの命令に応じて第１撮像装置本体に設定されている撮影モードの設定情報を当該情報処理装置側に送信する設定情報送信手段と、
前記情報処理装置側からの命令に応じて第１撮像装置本体の機種タイプを当該情報処理装置側に送信する機種タイプ送信手段とを備え、
前記情報処理装置は、
撮影モードの設定情報の送信元及び送信先の各撮像装置の機種タイプと各機種タイプに応じた撮影モードの設定情報の変換値とが対応させて記憶されている記憶手段と、
前記第１撮像装置側に対して第１撮像装置本体に設定されている撮影モードの設定情報及び当該第１撮像装置本体の機種タイプを送信するように促す促進手段と、
前記第２撮像装置側に対して第２撮像装置本体の機種タイプを送信するように命令する命令手段と、
前記促進手段の促進に応じて送信された第１撮像装置本体の機種タイプと前記命令手段の命令に応じて送信された第２撮像装置本体の機種タイプとに対応する変換値を前記記憶手段から読み出して第１撮像装置本体に設定されている撮影モードの設定情報を当該変換値に基づいて前記第２撮像装置本体で使用可能な撮影モードの設定情報に変換する変換手段と、
前記変換手段によって変換された撮影モードの設定情報を前記第２撮像装置側に送信する送信手段とを備え、
前記第２撮像装置は、
前記命令手段からの命令に応じて第２撮像装置本体の機種タイプを前記情報処理装置側に送信する機種タイプ送信手段と、
前記送信手段によって送信された撮影モードの設定情報を受信する受信手段と、
第２撮像装置の設定情報を前記受信手段によって受信された撮影モードの設定情報に更新する更新手段とを備えることを特徴とする撮影モードの設定情報転送システム。
【請求項４】
前記撮影モードの設定情報は、少なくとも第１撮像装置に対してカスタマイズされた撮影モードの設定情報を含むことを特徴とする請求項１から３のいずれか記載の撮影モードの設定情報転送システム。
【請求項５】
前記第１撮像装置と前記第２撮像装置とは、ＵＳＢ、赤外線、有線／無線ＬＡＮのいずれかを用いて接続されていることを特徴とする請求項１から４のいずれか記載の撮影モードの設定情報転送システム。
【請求項６】
撮像装置の機種タイプと機種タイプに応じた撮影モードの設定情報の変換値とが対応させて記憶されている記憶手段と、
他の撮像装置に対して他の撮像装置本体の機種タイプを送信するように命令する命令手段と、
前記命令手段からの命令に応じて他の撮像装置から送信された機種タイプに対応する変換値を前記記憶手段から読み出して自撮像装置本体に設定されている撮影モードの設定情報を当該変換値に基づいて前記他の撮像装置本体で使用可能な撮影モードの設定情報に変換する変換手段と、
前記変換手段によって変換された撮影モードの設定情報を前記他の撮像装置に送信する設定情報送信手段とを備えることを特徴とする撮像装置。
【請求項７】
他の撮像装置からの命令に応じて自撮像装置本体の機種タイプを前記他の撮像装置に送信する機種タイプ送信手段と、
前記機種タイプ送信手段によって送信された機種タイプに基づいて前記他の撮像装置で変換された撮影モードの設定情報を受信する受信手段と、
自撮像装置の設定情報を前記受信手段によって受信された撮影モードの設定情報に更新する更新手段とを備えることを特徴とする撮像装置。
【請求項８】
他の撮像装置からの命令に応じて自撮像装置本体に設定されている撮影モードの設定情報を当該他の撮像装置に送信する設定情報送信手段と、
前記他の撮像装置からの命令に応じて自撮像装置本体の機種タイプを当該他の撮像装置に送信する機種タイプ送信手段とを備えることを特徴とする撮像装置。
【請求項９】
撮像装置の機種タイプと機種タイプに応じた撮影モードの設定情報の変換値とが対応させて記憶されている記憶手段と、
他の撮像装置に対して他の撮像装置本体に設定されている撮影モードの設定情報及び当該他の撮像装置本体の機種タイプを送信するように命令する命令手段と、
前記命令手段の命令に応じて前記他の撮像装置から送信された撮影モードの設定情報を受信する設定情報受信手段と、
前記命令手段の命令に応じて前記他の撮像装置から送信された機種タイプを受信する機種タイプ受信手段と、
前記機種タイプ受信手段によって受信された機種タイプに対応する変換値を前記記憶手段から読み出して前記設定情報受信手段によって受信された他の撮像装置本体の撮影モードの設定情報を当該変換値に基づいて自撮像装置本体で使用可能な撮影モードの設定情報に変換する変換手段と、
自撮像装置の設定情報を前記変換手段によって変換された撮影モードの設定情報に更新する更新手段とを備えることを特徴とする撮像装置。
【請求項１０】
情報処理装置からの命令に応じて自撮像装置本体に設定されている撮影モードの設定情報を当該情報処理装置に送信する設定情報送信手段と、
前記情報処理装置からの命令に応じて自撮像装置本体の機種タイプを当該情報処理装置に送信する機種タイプ送信手段とを備えることを特徴とする撮像装置。
【請求項１１】
情報処理装置からの命令に応じて自撮像装置本体の機種タイプを前記情報処理装置に送信する機種タイプ送信手段と、
前記機種タイプ送信手段によって送信された機種タイプに基づいて前記情報処理装置によって変換された他の撮像装置で設定されていた撮影モードの設定情報を受信する受信手段と、
自撮像装置の設定情報を前記受信手段によって受信された撮影モードの設定情報に更新する更新手段とを備えることを特徴とする撮像装置。
【請求項１２】
撮影モードの設定情報の送信元及び送信先の各撮像装置の機種タイプと各機種タイプに応じた撮影モードの設定情報の変換値とが対応させて記憶されている記憶手段と、
第１撮像装置に対して第１撮像装置本体に設定されている撮影モードの設定情報及び当該第１撮像装置本体の機種タイプを送信するように促す促進手段と、
前記第２撮像装置に対して第２撮像装置本体の機種タイプを送信するように命令する命令手段と、
前記促進手段の促進に応じて送信された第１撮像装置本体の機種タイプと前記命令手段の命令に応じて送信された第２撮像装置本体の機種タイプとに対応する変換値を前記記憶手段から読み出して第１撮像装置本体に設定されている撮影モードの設定情報を当該変換値に基づいて前記第２撮像装置本体で使用可能な撮影モードの設定情報に変換する変換手段と、
前記変換手段によって変換された撮影モードの設定情報を前記第２撮像装置に送信する送信手段とを備えることを特徴とする撮影モードの設定情報転送システム用情報処理装置。
【請求項１３】
撮像装置の機種タイプと機種タイプに応じた撮影モードの設定情報の変換値とを対応させて記憶しておくステップと、
他の撮像装置に対して他の撮像装置本体の機種タイプを送信するように命令するステップと、
前記命令に応じて他の撮像装置から送信された機種タイプに対応する変換値を前記記憶手段から読み出して自撮像装置本体に設定されている撮影モードの設定情報を当該変換値に基づいて前記他の撮像装置本体で使用可能な撮影モードの設定情報に変換するステップと、
前記変換した撮影モードの設定情報を前記他の撮像装置に送信するステップとを撮像装置に備えるコンピュータに実行させることを特徴とするプログラム。
【請求項１４】
他の撮像装置からの命令に応じて自撮像装置本体の機種タイプを前記他の撮像装置に送信するステップと、
前記送信した機種タイプに基づいて前記他の撮像装置で変換された撮影モードの設定情報を受信するステップと、
前記受信した撮影モードの設定情報に自撮像装置の設定情報を更新するステップとを撮像装置に備えるコンピュータに実行させることを特徴とするプログラム。
【請求項１５】
他の撮像装置からの命令に応じて自撮像装置本体に設定されている撮影モードの設定情報を当該他の撮像装置に送信するステップと、
前記他の撮像装置からの命令に応じて自撮像装置本体の機種タイプを当該他の撮像装置に送信するステップとを撮像装置に備えるコンピュータに実行させることを特徴とするプログラム。
【請求項１６】
撮像装置の機種タイプと機種タイプに応じた撮影モードの設定情報の変換値とを対応させて記憶しておくステップと、
他の撮像装置に対して他の撮像装置本体に設定されている撮影モードの設定情報及び当該他の撮像装置本体の機種タイプを送信するように命令するステップと、
前記命令に応じて前記他の撮像装置から送信された撮影モードの設定情報を受信するステップと、
前記命令に応じて前記他の撮像装置から送信された機種タイプを受信するステップと、
前記受信した機種タイプに対応する変換値を前記記憶手段から読み出して前記受信した他の撮像装置本体の撮影モードの設定情報を当該変換値に基づいて自撮像装置本体で使用可能な撮影モードの設定情報に変換するステップと、
前記変換した撮影モードの設定情報に自撮像装置の設定情報を更新するステップと
を撮像装置に備えるコンピュータに実行させることを特徴とするプログラム。
【請求項１７】
情報処理装置からの命令に応じて自撮像装置本体に設定されている撮影モードの設定情報を当該情報処理装置に送信するステップと、
前記情報処理装置からの命令に応じて自撮像装置本体の機種タイプを当該情報処理装置に送信するステップとを撮像装置に備えるコンピュータに実行させることを特徴とするプログラム。
【請求項１８】
前記情報処理装置からの命令に応じて自撮像装置本体の機種タイプを前記情報処理装置に送信するステップと、
前記送信した機種タイプに基づいて前記情報処理装置によって変換された他の撮像装置で設定されていた撮影モードの設定情報を受信するステップと、
前記受信した撮影モードの設定情報に自撮像装置の設定情報を更新するステップとを撮像装置に備えるコンピュータに実行させることを特徴とするプログラム。
【請求項１９】
撮影モードの設定情報の送信元及び送信先の各撮像装置の機種タイプと各機種タイプに応じた撮影モードの設定情報の変換値とを対応させて記憶しておくステップと、
前記第１撮像装置に対して第１撮像装置本体に設定されている撮影モードの設定情報及び当該第１撮像装置本体の機種タイプを送信するように促すステップと、
前記第２撮像装置に対して第２撮像装置本体の機種タイプを送信するように命令するステップと、
前記促進に応じて送信された第１撮像装置本体の機種タイプと前記命令に応じて送信された第２撮像装置本体の機種タイプとに対応する変換値を前記記憶手段から読み出して第１撮像装置本体に設定されている撮影モードの設定情報を当該変換値に基づいて前記第２撮像装置本体で使用可能な撮影モードの設定情報に変換するステップと、
前記変換した撮影モードの設定情報を前記第２撮像装置に送信するステップと
を情報処理装置に実行させることを特徴とするプログラム。
【発明の詳細な説明】
【０００１】
【発明の属する技術分野】
本発明は、撮影モードの設定情報転送システム、撮像装置、撮影モードの設定情報転送システム用情報処理装置及びプログラムに関し、特に、ディジタルカメラ、ディジタルスチルカメラ、ビデオカメラなどの撮像装置に設定されている撮影モードの設定情報を転送する撮影モードの設定情報転送システム、撮像装置、撮影モードの設定情報転送システム用情報処理装置及びプログラムに関する。
【０００２】
【従来の技術】
従来、ホワイトバランスや各色成分などを、ユーザの好みに合わせて調整することができるカラー撮像装置が、例えば特許文献１に記載されている。
このカラー撮像装置は、ユーザの嗜好に合わせてホワイトバランスの制御結果を変化させ色合いを変化させて、得られるカラー画像に反映するカラー撮像装置を提供するために、被写体の光学画像を集光するレンズと、光束を集束する絞り部と、光学画像を光電変換するＣＣＤと、ＣＣＤに含まれる雑音を低減するＣＤＳと、アナログ信号をディジタル信号に変換するＡ／Ｄ変換器と、タイミングを発生するタイミング発生器と、画像処理パラメータに従って画像処理を行うディジタル信号処理回路と、画像を記憶するフレームメモリと、撮像画像を表示する表示部と、ディジタル信号処理回路７で処理された画像データを圧縮あるいは伸張する画像圧縮伸張回路と、圧縮された画像データを格納するメモリ・カードと、制御プログラムに基づいて所定の制御を実行するマイコンと、パラメータを格納するＥＥＰテーブルメモリと、レリーズボタン等を備えたカメラ操作部と、フイルム枚数や閃光手段の発光状態を監視するＯＳＤと、被写体を照明する選考手段により構成されている。
【０００３】
【特許文献１】
特開２００３−８７８０２号公報
【０００４】
【発明が解決しようとする課題】
しかし、従来の技術は、ユーザが好みに合わせて、カラー撮像装置の各種設定を行うことができるものの、別のカラー撮像装置を用いて好みに合った撮影を行おうとすると、改めてその別のカラー撮像装置に手動で各種設定を行う必要があり面倒であった。
【０００５】
また、カラー撮像装置の機種タイプが異なると、カラー撮像装置のスペックの相違等から、カラー撮像装置に予め設定されている、例えば夜景を撮影する時に最良とされる夜景モードのホワイトバランス等の具体的な設定情報の内容が異なる場合がある。
このように、そもそも同一撮影モードにおけるカラー撮像装置相互での撮影モードの設定情報が異なると、一方のカラー撮像装置に設定した設定情報と同じ内容で、他方のカラー撮像装置への設定を行って、その他方のカラー撮像装置で撮影を行うと、撮影した画像が好みと異なることになり、その結果として、他方のカラー撮像装置の機種タイプに応じた設定情報に変更しなければならない場合があった。
【０００６】
そこで本発明は、改めて別の撮像装置に手動ではなく各種設定を行うことができる撮影モードの設定情報転送システムおよび撮像装置を提供することを目的とする。
また、本発明は、撮像装置相互の機種タイプのスペック等の相違に応じた設定を行うことができる撮影モードの設定情報転送システムおよび撮像装置を提供することを目的とする。
【０００７】
【課題を解決するための手段】
上記目的を達成するため、第１の発明による撮影モードの設定情報転送システムは、第１撮像装置から第１撮像装置本体に設定されている撮影モードの設定情報を送信し、第２撮像装置で前記第１撮像装置から送信された撮影モードの設定情報を受信することによって撮影モードの設定情報を転送する撮影モードの設定情報転送システムであって、前記第１撮像装置は、撮像装置の機種タイプと機種タイプに応じた撮影モードの設定情報の変換値とが対応させて記憶されている記憶手段と、前記第２撮像装置側に対して第２撮像装置本体の機種タイプを送信するように命令する命令手段と、前記命令手段からの命令に応じて第２撮像装置側から送信された機種タイプに対応する変換値を前記記憶手段から読み出して第１撮像装置本体に設定されている撮影モードの設定情報を当該変換値に基づいて前記第２撮像装置本体で使用可能な撮影モードの設定情報に変換する変換手段と、前記変換手段によって変換された撮影モードの設定情報を前記第２撮像装置に送信する設定情報送信手段とを備え、前記第２撮像装置は、前記命令手段からの命令に応じて第２撮像装置本体の機種タイプを前記第１撮像装置に送信する機種タイプ送信手段と、前記設定情報送信手段によって送信された撮影モードの設定情報を受信する受信手段と、第２撮像装置の設定情報を前記受信手段によって受信された撮影モードの設定情報に更新する更新手段とを備えることを特徴とする撮影モードの設定情報転送システムである。
【０００８】
第１の発明によると、第１撮像装置本体に設定されている撮影モードの設定情報を、第２撮像装置に送信しているので、改めて第２撮像装置に手動で各種設定を行わなくてもよくなる。
また、第１撮像装置において第１撮像装置本体に設定されている撮影モードの設定情報を、第２撮像装置の機種タイプに応じて変更してから第２撮像装置に送信しているので、第１撮像装置と第２撮像装置との機種タイプの相違に応じた設定が行えるようになる。
【０００９】
第２の発明である撮影モードの設定情報転送システムは、第１撮像装置から第１撮像装置本体に設定されている撮影モードの設定情報を送信し、第２撮像装置で前記第１撮像装置から送信された撮影モードの設定情報を受信することによって撮影モードの設定情報を転送する撮影モードの設定情報転送システムであって、前記第１撮像装置は、前記第２撮像装置側からの命令に応じて第１撮像装置本体に設定されている撮影モードの設定情報を当該第２撮像装置に送信する設定情報送信手段と、前記第２撮像装置側からの命令に応じて第１撮像装置本体の機種タイプを当該第２撮像装置側に送信する機種タイプ送信手段とを備え、前記第２撮像装置は、撮像装置の機種タイプと機種タイプに応じた撮影モードの設定情報の変換値とが対応させて記憶されている記憶手段と、前記第１撮像装置に対して第１撮像装置本体に設定されている撮影モードの設定情報及び当該第１撮像装置本体の機種タイプを送信するように命令する命令手段と、前記設定情報送信手段から送信された撮影モードの設定情報を受信する設定情報受信手段と、前記機種タイプ送信手段から送信された機種タイプを受信する機種タイプ受信手段と、前記機種タイプ受信手段によって受信された機種タイプに対応する変換値を前記記憶手段から読み出して前記設定情報受信手段によって受信された第１撮像装置本体の撮影モードの設定情報を当該変換値に基づいて第２撮像装置本体で使用可能な撮影モードの設定情報に変換する変換手段と、第２撮像装置の設定情報を前記変換手段によって変換された撮影モードの設定情報に更新する更新手段とを備えることを特徴とする撮影モードの設定情報転送システムである。
【００１０】
第２の発明によると、第１撮像装置本体に設定されている撮影モードの設定情報を、第２撮像装置に送信しているので、改めて第２撮像装置に手動で各種設定を行わなくてもよくなる。
また、第１撮像装置本体に設定されている撮影モードの設定情報を、第２撮像装置において第２撮像装置の機種タイプに応じて変更するようにしているので、第１撮像装置と第２撮像装置との機種タイプの相違に応じた設定が行えるようになる。
【００１１】
第３の発明である撮影モードの設定情報転送システムは、第１撮像装置から第１撮像装置本体に設定されている撮影モードの設定情報を情報処理装置に対して送信し、前記情報処理装置で前記第１撮像装置に設定されている撮影モードの設定情報を当該変換値に基づいて第２撮像装置本体で使用可能な撮影モードの設定情報に変換してから当該第２撮像装置に送信することによって撮影モードの設定情報を転送する撮影モードの設定情報転送システムであって、前記第１撮像装置は、前記情報処理装置側からの命令に応じて第１撮像装置本体に設定されている撮影モードの設定情報を当該情報処理装置側に送信する設定情報送信手段と、前記情報処理装置側からの命令に応じて第１撮像装置本体の機種タイプを当該情報処理装置側に送信する機種タイプ送信手段とを備え、前記情報処理装置は、撮影モードの設定情報の送信元及び送信先の各撮像装置の機種タイプと各機種タイプに応じた撮影モードの設定情報の変換値とが対応させて記憶されている記憶手段と、前記第１撮像装置側に対して第１撮像装置本体に設定されている撮影モードの設定情報及び当該第１撮像装置本体の機種タイプを送信するように促す促進手段と、前記第２撮像装置側に対して第２撮像装置本体の機種タイプを送信するように命令する命令手段と、前記促進手段の促進に応じて送信された第１撮像装置本体の機種タイプと前記命令手段の命令に応じて送信された第２撮像装置本体の機種タイプとに対応する変換値を前記記憶手段から読み出して第１撮像装置本体に設定されている撮影モードの設定情報を当該変換値に基づいて前記第２撮像装置本体で使用可能な撮影モードの設定情報に変換する変換手段と、前記変換手段によって変換された撮影モードの設定情報を前記第２撮像装置側に送信する送信手段とを備え、前記第２撮像装置は、前記命令手段からの命令に応じて第２撮像装置本体の機種タイプを前記情報処理装置側に送信する機種タイプ送信手段と、前記送信手段によって送信された撮影モードの設定情報を受信する受信手段と、第２撮像装置の設定情報を前記受信手段によって受信された撮影モードの設定情報に更新する更新手段とを備えることを特徴とする撮影モードの設定情報転送システムである。
【００１２】
第３の発明によると、第１撮像装置本体に設定されている撮影モードの設定情報を、第２撮像装置に送信しているので、第２撮像装置に手動で各種設定を行わなくてもよくなる。
また、情報処理装置において、第１撮像装置本体に設定されている撮影モードの設定情報を、第２撮像装置の機種タイプに応じて変更してから第２撮像装置に送信しているので、第１撮像装置と第２撮像装置との機種タイプの相違に応じた設定が行えるようになる。
【００１３】
第４の発明である撮影モードの設定情報転送システムは、前記撮影モードの設定情報は、少なくとも第１撮像装置に対してカスタマイズされた撮影モードの設定情報を含むことを特徴とする第１から３の発明のいずれかに係る撮影モードの設定情報転送システムである。
【００１４】
第４の発明によると、ユーザが第１撮像装置本体に設定した撮影モードの設定情報を、第２撮像装置に送信しているので、第２撮像装置で改めてユーザが撮影モードの設定情報の各種設定を行わなくてもよくなる。
【００１５】
第５の発明である撮影モードの設定情報転送システムは、前記第１撮像装置と前記第２撮像装置とは、ＵＳＢ、赤外線、有線／無線ＬＡＮのいずれかを用いて接続されていることを特徴とする第１から４の発明のいずれかに係る撮影モードの設定情報転送システムである。
【００１６】
第５の発明によると、汎用性のある接続媒体で第１撮像装置と第２撮像装置とを接続しているので、安価に撮影モードの設定情報の転送が行える。
【００１７】
第６の発明である撮像装置は、撮像装置の機種タイプと機種タイプに応じた撮影モードの設定情報の変換値とが対応させて記憶されている記憶手段と、他の撮像装置に対して他の撮像装置本体の機種タイプを送信するように命令する命令手段と、前記命令手段からの命令に応じて他の撮像装置から送信された機種タイプに対応する変換値を前記記憶手段から読み出して自撮像装置本体に設定されている撮影モードの設定情報を当該変換値に基づいて前記他の撮像装置本体で使用可能な撮影モードの設定情報に変換する変換手段と、前記変換手段によって変換された撮影モードの設定情報を前記他の撮像装置に送信する設定情報送信手段とを備えることを特徴とする撮像装置である。
【００１８】
第６の発明によると、撮像装置本体に設定されている撮影モードの設定情報を、他の撮像装置に送信可能としているので、他の撮像装置に手動で各種設定を行わなくてもよくなる。
また、撮像装置本体に設定されている撮影モードの設定情報を、他の撮像装置の機種タイプに応じて変更してから他の撮像装置に送信可能としているので、撮像装置の機種タイプの相違に応じた設定を行えるようになる。
【００１９】
第７の発明である撮像装置は、他の撮像装置からの命令に応じて自撮像装置本体の機種タイプを前記他の撮像装置に送信する機種タイプ送信手段と、前記機種タイプ送信手段によって送信された機種タイプに基づいて前記他の撮像装置で変換された撮影モードの設定情報を受信する受信手段と、自撮像装置の設定情報を前記受信手段によって受信された撮影モードの設定情報に更新する更新手段とを備えることを特徴とする撮像装置である。
【００２０】
第７の発明によると、他の撮像装置本体に設定されている撮影モードの設定情報を自撮像装置で受信可能としているので、自撮像装置に手動で各種設定を行わなくてもよくなる。
また、他の撮像装置本体に設定されている撮影モードの設定情報が、他の撮像装置において自撮像装置の機種タイプに応じて変更されてから送信されてくるので、撮像装置の機種タイプの相違に応じた設定を行えるようになる。
【００２１】
第８の発明である撮像装置は、他の撮像装置からの命令に応じて自撮像装置本体に設定されている撮影モードの設定情報を当該他の撮像装置に送信する設定情報送信手段と、前記他の撮像装置からの命令に応じて自撮像装置本体の機種タイプを当該他の撮像装置に送信する機種タイプ送信手段とを備えることを特徴とする撮像装置である。
【００２２】
第８の発明によると、撮像装置本体に設定されている撮影モードの設定情報を、他の撮像装置に送信可能としているので、他の撮像装置に手動で各種設定を行わなくてもよくなる。
また、撮影モードの設定情報の転送の際に、撮像装置本体に設定されている撮影モードの設定情報を、自撮像装置の機種タイプとともに他の撮像装置に送信すればよいので、処理負担が少なくて済む。
【００２３】
第９の発明である撮像装置は、撮像装置の機種タイプと機種タイプに応じた撮影モードの設定情報の変換値とが対応させて記憶されている記憶手段と、他の撮像装置に対して他の撮像装置本体に設定されている撮影モードの設定情報及び当該他の撮像装置本体の機種タイプを送信するように命令する命令手段と、前記命令手段の命令に応じて前記他の撮像装置から送信された撮影モードの設定情報を受信する設定情報受信手段と、前記命令手段の命令に応じて前記他の撮像装置から送信された機種タイプを受信する機種タイプ受信手段と、前記機種タイプ受信手段によって受信された機種タイプに対応する変換値を前記記憶手段から読み出して前記設定情報受信手段によって受信された他の撮像装置本体の撮影モードの設定情報を当該変換値に基づいて自撮像装置本体で使用可能な撮影モードの設定情報に変換する変換手段と、自撮像装置の設定情報を前記変換手段によって変換された撮影モードの設定情報に更新する更新手段とを備えることを特徴とする撮像装置である。
【００２４】
第９の発明によると、他の撮像装置本体に設定されている撮影モードの設定情報を自撮像装置で受信可能としているので、自撮像装置に手動で各種設定を行わなくてもよくなる。
また、他の撮像装置本体に設定されている撮影モードの設定情報を、自撮像装置の機種タイプに応じて変更しているので、撮像装置の機種タイプの相違に応じた設定を行えるようになる。
【００２５】
第１０の発明である撮像装置は、情報処理装置からの命令に応じて自撮像装置本体に設定されている撮影モードの設定情報を当該情報処理装置に送信する設定情報送信手段と、前記情報処理装置からの命令に応じて自撮像装置本体の機種タイプを当該情報処理装置に送信する機種タイプ送信手段とを備えることを特徴とする撮像装置である。
【００２６】
第１０の発明によると、撮影モードの設定情報の転送の際に、撮像装置本体に設定されている撮影モードの設定情報を、自撮像装置の機種タイプとともに情報処理装置に送信すればよいので、処理負担が少なくて済む。
【００２７】
第１１の発明である撮像装置は、情報処理装置からの命令に応じて自撮像装置本体の機種タイプを前記情報処理装置に送信する機種タイプ送信手段と、前記機種タイプ送信手段によって送信された機種タイプに基づいて前記情報処理装置によって変換された他の撮像装置で設定されていた撮影モードの設定情報を受信する受信手段と、自撮像装置の設定情報を前記受信手段によって受信された撮影モードの設定情報に更新する更新手段とを備えることを特徴とする撮像装置である。
【００２８】
第１１の発明によると、撮影モードの設定情報の転送の際に、情報処理装置から自撮像装置の機種タイプに応じた撮影モードの設定情報が送信されてくるので、撮像装置の機種タイプの相違に応じた設定を行えるようになる。
【００２９】
第１２の発明である撮影モードの設定情報転送システム用情報処理装置は、撮影モードの設定情報の送信元及び送信先の各撮像装置の機種タイプと各機種タイプに応じた撮影モードの設定情報の変換値とが対応させて記憶されている記憶手段と、第１撮像装置に対して第１撮像装置本体に設定されている撮影モードの設定情報及び当該第１撮像装置本体の機種タイプを送信するように促す促進手段と、前記第２撮像装置に対して第２撮像装置本体の機種タイプを送信するように命令する命令手段と、前記促進手段の促進に応じて送信された第１撮像装置本体の機種タイプと前記命令手段の命令に応じて送信された第２撮像装置本体の機種タイプとに対応する変換値を前記記憶手段から読み出して第１撮像装置本体に設定されている撮影モードの設定情報を当該変換値に基づいて前記第２撮像装置本体で使用可能な撮影モードの設定情報に変換する変換手段と、前記変換手段によって変換された撮影モードの設定情報を前記第２撮像装置に送信する送信手段とを備えることを特徴とする撮影モードの設定情報転送システム用情報処理装置である。
【００３０】
第１２の発明によると、第１撮像装置本体に設定されている撮影モードの設定情報を、第２撮像装置の機種タイプに応じて変更してから第２撮像装置に送信しているので、第２撮像装置に手動で各種設定を行わなくてもよくなる。
また、第１撮像装置本体に設定されている撮影モードの設定情報を、第２撮像装置の機種タイプに応じて変更してから第２撮像装置に送信しているので、第１撮像装置と第２撮像装置との機種タイプの相違に応じた設定が行えるようになる。
【００３１】
第１３の発明であるプログラムは、撮像装置の機種タイプと機種タイプに応じた撮影モードの設定情報の変換値とを対応させて記憶しておくステップと、他の撮像装置に対して他の撮像装置本体の機種タイプを送信するように命令するステップと、前記命令に応じて他の撮像装置から送信された機種タイプに対応する変換値を前記記憶手段から読み出して自撮像装置本体に設定されている撮影モードの設定情報を当該変換値に基づいて前記他の撮像装置本体で使用可能な撮影モードの設定情報に変換するステップと、前記変換した撮影モードの設定情報を前記他の撮像装置に送信するステップとを撮像装置に備えるコンピュータに実行させることを特徴とするプログラムである。
【００３２】
第１３の発明によると、撮像装置本体に設定されている撮影モードの設定情報を、他の撮像装置に送信可能となるので、他の撮像装置に手動で各種設定を行わなくてもよくなる。
また、撮像装置本体に設定されている撮影モードの設定情報を、他の撮像装置の機種タイプに応じて変更してから他の撮像装置に送信可能となり、撮像装置の機種タイプの相違に応じた設定を行えるようになる。
【００３３】
第１４の発明であるプログラムは、他の撮像装置からの命令に応じて自撮像装置本体の機種タイプを前記他の撮像装置に送信するステップと、前記送信した機種タイプに基づいて前記他の撮像装置で変換された撮影モードの設定情報を受信するステップと、前記受信した撮影モードの設定情報に自撮像装置の設定情報を更新するステップとを撮像装置に備えるコンピュータに実行させることを特徴とするプログラムである。
【００３４】
第１４の発明によると、他の撮像装置本体に設定されている撮影モードの設定情報を自撮像装置で受信可能となるので、自撮像装置に手動で各種設定を行わなくてもよくなる。
また、他の撮像装置本体に設定されている撮影モードの設定情報が、他の撮像装置において自撮像装置の機種タイプに応じて変更されてから送信されてくるので、撮像装置の機種タイプの相違に応じた設定を行えるようになる。
【００３５】
第１５の発明であるプログラムは、他の撮像装置からの命令に応じて自撮像装置本体に設定されている撮影モードの設定情報を当該他の撮像装置に送信するステップと、前記他の撮像装置からの命令に応じて自撮像装置本体の機種タイプを当該他の撮像装置に送信するステップとを撮像装置に備えるコンピュータに実行させることを特徴とするプログラムである。
【００３６】
第１５の発明によると、撮像装置本体に設定されている撮影モードの設定情報を、他の撮像装置に送信可能となるので、他の撮像装置に手動で各種設定を行わなくてもよくなる。
また、撮影モードの設定情報の転送の際に、撮像装置本体に設定されている撮影モードの設定情報を、自撮像装置の機種タイプとともに他の撮像装置に送信することになるので、処理負担が少なくて済む。
【００３７】
第１６の発明であるプログラムは、撮像装置の機種タイプと機種タイプに応じた撮影モードの設定情報の変換値とを対応させて記憶しておくステップと、他の撮像装置に対して他の撮像装置本体に設定されている撮影モードの設定情報及び当該他の撮像装置本体の機種タイプを送信するように命令するステップと、前記命令に応じて前記他の撮像装置から送信された撮影モードの設定情報を受信するステップと、前記命令に応じて前記他の撮像装置から送信された機種タイプを受信するステップと、前記受信した機種タイプに対応する変換値を前記記憶手段から読み出して前記受信した他の撮像装置本体の撮影モードの設定情報を当該変換値に基づいて自撮像装置本体で使用可能な撮影モードの設定情報に変換するステップと、前記変換した撮影モードの設定情報に自撮像装置の設定情報を更新するステップとを撮像装置に備えるコンピュータに実行させることを特徴とするプログラムである。
【００３８】
第１６の発明によると、他の撮像装置本体に設定されている撮影モードの設定情報を自撮像装置で受信可能となるので、自撮像装置に手動で各種設定を行わなくてもよくなる。
また、他の撮像装置本体に設定されている撮影モードの設定情報を、自撮像装置の機種タイプに応じて変更することが可能となり、撮像装置の機種タイプの相違に応じた設定を行えるようになる。
【００３９】
第１７の発明であるプログラムは、情報処理装置からの命令に応じて自撮像装置本体に設定されている撮影モードの設定情報を当該情報処理装置に送信するステップと、前記情報処理装置からの命令に応じて自撮像装置本体の機種タイプを当該情報処理装置に送信するステップとを撮像装置に備えるコンピュータに実行させることを特徴とするプログラムである。
【００４０】
第１７の発明によると、撮影モードの設定情報の転送の際に、撮像装置本体に設定されている撮影モードの設定情報を、自撮像装置の機種タイプとともに情報処理装置に送信することになるので、処理負担が少なくて済む。
【００４１】
第１８の発明であるプログラムは、前記情報処理装置からの命令に応じて自撮像装置本体の機種タイプを前記情報処理装置に送信するステップと、前記送信した機種タイプに基づいて前記情報処理装置によって変換された他の撮像装置で設定されていた撮影モードの設定情報を受信するステップと、前記受信した撮影モードの設定情報に自撮像装置の設定情報を更新するステップとを撮像装置に備えるコンピュータに実行させることを特徴とするプログラムである。
【００４２】
第１８の発明によると、撮影モードの設定情報の転送の際に、情報処理装置から自撮像装置の機種タイプに応じた撮影モードの設定情報が送信されてくるので、撮像装置の機種タイプの相違に応じた設定を行えるようになる。
【００４３】
第１９の発明であるプログラムは、撮影モードの設定情報の送信元及び送信先の各撮像装置の機種タイプと各機種タイプに応じた撮影モードの設定情報の変換値とを対応させて記憶しておくステップと、前記第１撮像装置に対して第１撮像装置本体に設定されている撮影モードの設定情報及び当該第１撮像装置本体の機種タイプを送信するように促すステップと、前記第２撮像装置に対して第２撮像装置本体の機種タイプを送信するように命令するステップと、前記促進に応じて送信された第１撮像装置本体の機種タイプと前記命令に応じて送信された第２撮像装置本体の機種タイプとに対応する変換値を前記記憶手段から読み出して第１撮像装置本体に設定されている撮影モードの設定情報を当該変換値に基づいて前記第２撮像装置本体で使用可能な撮影モードの設定情報に変換するステップと、前記変換した撮影モードの設定情報を前記第２撮像装置に送信するステップとを情報処理装置に実行させることを特徴とするプログラムである。
【００４４】
第１９の発明によると、第１撮像装置本体に設定されている撮影モードの設定情報を、第２撮像装置の機種タイプに応じて変更してから第２撮像装置に送信することになるので、第２撮像装置に手動で各種設定を行わなくてもよくなる。
また、情報処理装置において第１撮像装置本体に設定されている撮影モードの設定情報を、第２撮像装置の機種タイプに応じて変更してから第２撮像装置に送信することになるので、第１撮像装置と第２撮像装置との機種タイプの相違に応じた設定が行えるようになる。
【００４５】
【発明の実施の形態】
以下、本発明の実施形態ついて図面を参照して説明する。
（実施形態１）
［構成の説明］
図１は、本発明の実施形態１の撮影モードの設定情報転送システムの模式的な構成図である。
【００４６】
図１には、ディジタルカメラ１０からディジタルカメラ１０本体に設定されている撮影モードの設定情報をＵＳＢケーブル３０を介して送信し、ディジタルカメラ２０でディジタルカメラ１０から送信された撮影モードの設定情報を受信することによって撮影モードの設定情報を転送する撮影モードの設定情報転送システムを示している。
なお、ＵＳＢケーブル３０に代えて、赤外線、有線／無線ＬＡＮ等でディジタルカメラ１０とディジタルカメラ２０とを接続するようにしてもよい。
撮影モードとは、撮影シーンに応じて適切な撮影をするために、後述する各種設定がされているモードである。なお、撮影モード及び設定情報の詳細については図４を用いて説明する。
【００４７】
図２は、図１に示すディジタルカメラ１０の模式的な内部構成を示すブロック図である。なお、ディジタルカメラ２０の内部構成も同様としている。
図２には、以下説明するＣＣＤ撮像素子（ＣＣＤ）２Ａと、ＤＳＰ（Ｄｉｇｉｔａｌ  Ｓｉｇｎａｌ  Ｐｒｏｃｅｓｓｏｒ）／ＣＰＵ３Ａと、タイミングジェネレータ（ＴＧ）４Ａと、ユニット回路（ＣＤＳ／ＡＧＣ／ＡＤ）５Ａと、表示装置６Ａと、キー入力部７Ａと、音声処理部８Ａと、アドレス・データバス９Ａと、ＤＲＡＭ１０Ａと、内蔵フラッシュメモリ１１Ａと、カードインターフェイス（Ｉ／Ｆ）１２Ａと、カード・メモリ１３Ａと、通信用Ｉ／Ｆ１４Ａとを備えている。
ＣＣＤ撮像素子２Ａは、被写体からの光信号を画像信号に変換し、変換した画像信号をタイミングジェネレータ４Ａから出力されるタイミング信号に従って、ＣＤＳ／ＡＧＣ／ＡＤ５Ａへ出力するものである。
【００４８】
ユニット回路５Ａは、タイミングジェネレータ４Ａから出力されるタイミング信号に従って、ＣＣＤ撮像素子２Ａから出力された画像信号を相関二重サンプリングして保持するＣＤＳと、ＣＤＳで保持されている画像信号のゲインを増幅するＡＧＣと、ＡＧＣで増幅された画像信号をアナログ信号からディジタル信号に変換するＡＤとを備えており、ディジタル信号に変換した画像信号をＤＳＰ／ＣＰＵ３Ａへ出力するものである。
タイミングジェネレータ（ＴＧ）４Ａは、ＤＳＰ／ＣＰＵ３Ａから出力される基準クロック信号に従って、ＣＣＤ撮像素子２Ａおよびユニット回路５Ａへタイミング信号を出力するものである。
【００４９】
音声処理部８Ａは、撮影場所等での音声を入力する内蔵マイクロフォンと、内蔵マイクロフォンによって入力された音声を増幅するアンプと、メモリ・カード１３Ａに記憶されている音声を出力する内蔵スピーカとを備えており、増幅した音声信号をＤＳＰ／ＣＰＵ３Ａに出力したり、ＤＳＰ／ＣＰＵ３Ａから出力された音声信号を出力したりするものである。
表示装置６Ａは、カラーＬＣＤなどのディスプレイと、ディスプレイに画像を表示するための駆動回路とを備えており、ＤＳＰ／ＣＰＵ３Ａから出力された画像信号に基づいて、撮影した画像を表示するものである。
キー入力部７Ａは、撮影ボタン等の基本指示を入力するだけでなく、ユーザから入力された撮影モードの設定情報の転送指示をＤＳＰ／ＣＰＵ３Ａへ出力するものである。
【００５０】
ＤＳＰ／ＣＰＵ３Ａは、キー入力部７を通じてユーザから入力された指示に従って、ディジタルカメラ１０本体の動作の制御を行うものであり、具体的には、ユニット回路５Ａから出力された画像信号を表示装置６Ａに出力したり、ユニット回路５Ａから出力された画像信号や音声処理部８Ａから出力された音声信号を圧縮・伸張してアドレス・データバス９Ａへ出力したり、タイミングジェネレータ４Ａに対して基準クロック信号を出力したりするマイコンや専用プロセッサなどである。
アドレス・データバス９Ａは、ＤＳＰ／ＣＰＵ３ＡとＤＲＡＭ１０Ａと内蔵フラッシュメモリ１１Ａとカードインターフェイス１２Ａとを相互に接続するバスである。
【００５１】
ＤＲＡＭ１０Ａは、アドレス・データバス９Ａを通じて、ＤＲＡＭ１０Ａから出力された画像信号や音声信号が一時的に順次蓄積されるバッファメモリである。
また、ＤＲＡＭ１０Ａは、ＤＳＰ／ＣＰＵ３Ａのワーキングメモリの機能も備えている。
内蔵フラッシュメモリ１１Ａは、ＤＳＰ／ＣＰＵ３Ａでオートフォーカス制御（ＡＦ）や自動露出制御（ＡＥ）を含む各種処理を実行するための制御プログラムやデータが記憶されているメモリである。
カード・メモリ１３Ａは、アドレス・データバス９Ａを通じて、ＤＳＰ／ＣＰＵ３Ａから出力された画像信号や音声信号が記憶されるメモリであり、ディジタルカメラ１０本体に着脱可能とされている。
【００５２】
カードインターフェイス１２Ａは、カード・メモリ１３Ａをディジタルカメラ１０本体に対して装着するものである。
通信用インターフェイス１４Ａは、ＵＳＢケーブル３０等とディジタルカメラ１０本体とを接続するインターフェイスである。
【００５３】
図３は、図１に示すディジタルカメラ１０及びディジタルカメラ２０の模式的な内部構成を示す機能ブロック図である。
ディジタルカメラ１０は、以下説明する命令手段１１と、テーブルメモリ１２と、変換手段１３と、設定情報送信手段１４と、ＲＡＭ１５と、設定情報読出手段１６と、機種タイプ受信手段１７とを備えている。
【００５４】
テーブルメモリ１２は、ディジタルカメラの機種タイプと機種タイプに応じた撮影モードの設定情報の変換値とが対応させて記憶されているメモリであり、図２に示す内蔵フラッシュメモリ１１Ａに相当する。設定情報の詳細は図５を用いて説明する。
ＲＡＭ１５は、ディジタルカメラ１０本体の撮影モードの設定情報が記憶されているメモリであり、図２に示す内蔵フラッシュメモリ１１Ａに相当する。また、ＲＡＭ１５は、変換手段１３で変換された撮影モードの設定情報が一時的に記憶されるメモリであり、図２に示すＤＲＡＭ１０Ａに相当する。
【００５５】
命令手段１１は、ユーザからの撮影モードの設定情報の転送指示を契機として、ディジタルカメラ２０側に対して、ディジタルカメラ２０本体の機種タイプを送信するように命令するものであり、図２に示すＤＳＰ／ＣＰＵ３Ａに相当する。
【００５６】
機種タイプ受信手段１７は、命令手段１１からの命令に応じてディジタルカメラ２０側から送信されたディジタルカメラ２０本体の機種タイプを受信して、変換手段１３へ出力するものであり、図２に示す通信用インターフェイス１４Ａに相当する。
設定情報読出手段１６は、変換手段１３からの指示に応じて、ＲＡＭ１５に記憶されているディジタルカメラ１０本体の撮影モードの設定情報を読み出して、変換手段１３へ出力するものであり、図２に示すＤＳＰ／ＣＰＵ３Ａに相当する。
【００５７】
変換手段１３は、機種タイプ受信手段１７から出力されたディジタルカメラ２０本体の機種タイプに基づいて、テーブルメモリ１２を参照することにより対応する変換値を読み出すとともに、設定情報読出手段１６から出力されたディジタルカメラ１０本体に設定されている撮影モードの設定情報をディジタルカメラ２０本体で使用可能な撮影モードの設定情報に変換して、設定情報送信手段１４へ出力するものであり、図２に示すＤＳＰ／ＣＰＵ３Ａに相当する。
【００５８】
設定情報送信手段１４は、変換手段１３からの命令に応じて、ＲＡＭ１５に一時的に記憶されている変換後の撮影モードの設定情報を読み出して、ディジタルカメラ２０側に送信するものであり、図２に示す通信用インターフェイス１４Ａに相当する。
【００５９】
ディジタルカメラ２０は、以下説明する機種タイプ送信手段２１と、受信手段２２と、更新手段２３と、ＲＡＭ２４と、応答手段２５とを備えている。
ＲＡＭ２４は、ディジタルカメラ２０本体の撮影モードの設定情報が記憶されているメモリであり、図２に示す内蔵フラッシュメモリ１１Ａに相当する。
応答手段２５は、命令手段１１からの命令に応じて、ＲＡＭ２４に記憶されているディジタルカメラ２０本体の機種タイプを読み出して機種タイプ送信手段２１へ出力するものであり、図２に示すＤＳＰ／ＣＰＵ３Ａに相当する。
【００６０】
機種タイプ送信手段２１は、応答手段２５から出力されたディジタルカメラ２０本体の機種タイプを入力して、ディジタルカメラ１０側に送信するものであり、図２に示す通信用インターフェイス１４Ａに相当する。
受信手段２２は、設定情報送信手段１４によって送信された撮影モードの設定情報を受信して、更新手段２３に出力するものであり、図２に示す通信用インターフェイス１４Ａに相当する。
更新手段２３は、ＲＡＭ２４に記憶されている撮影モードの設定情報を、受信手段２２から出力された撮影モードの設定情報に更新するものであり、図２に示すＤＳＰ／ＣＰＵ３Ａに相当する。
【００６１】
図４，図５は、図１等に示すディジタルカメラ１０の撮影モードの設定情報の設定情報の設定例を示す図である。
図４，図５には、複数のシーンとして「１：人物と風景１」「２：人物と風景２」「３：アップ」「４：バストアップ」「５：ニーショット」「６：ツーショット」「７：花のアップ」「８：お花畑」「９：森」「１０：紅葉」「１１：青空」「１２：夕日」「１３：夏の海」「１４：夜景」「１５：スローシンクロ１」「１６：スローシンクロ２」「１７：花火」「１８：夜空」「１９：ライトの光跡」「２０：流れる水」「２１：止まる水」「２２：アクション」「２３：建物」「２４：食べ物」「２５：カスタム１」「２６：カスタム２」「２７：カスタム３」「２８：カスタム４」「２９：カスタム５」を例示している。また、このシーン毎に、サンプル画像が関連付けられており、このサンプル画像をユーザが見ることにより、撮影した画像がどのように映し出されるのかが人目でわかることができる。なお、このサンプル画像は、予め設定されていてもよく、また、ユーザがその各種撮影モードによって撮影した画像がサンプル画像として、設定されるようにしてもよい。
【００６２】
なお、図４に示す各設定情報は、出荷時に先だって予めディジタルカメラ１０，２０に設定されているもの（例えばシーン１〜シーン２４）と、ディジタルカメラ１０，２０のユーザが設定可能なもの（例えばシーン２５〜シーン２９）との双方を含ませることが可能である。
【００６３】
また、設定情報として、「フォーカスＡＦ」「シャッター速度」「絞り」「ＥＶシフト」「感度」「フィルター」「露出モード」「測光方式」「ホワイトバランス（ＷＢ）」「色強調」「フラッシュ光量」「シャープネス」「彩度」「コントラスト」「フラッシュ」を例示している。
なお、これらは例示であり、これらの他にも、「明るさ」「カラーバランス」「ガンマ値」「色空間指定」「記録サイズ」等さまざまな設定項目を含めることが可能である。ちなみに、「色空間指定」とは、例えばｓＲＧＢ色空間やＮＴＳＣ色空間等、画像データの生成時に使用された色空間に応じて画像処理時に使用される色空間を特定するための設定情報であり、「記録サイズ」とは、ディジタルカメラ１０，２０間の画素数の相違を補間するための設定情報である。
【００６４】
図６は、図５に示す「２５：カスタム１」としてユーザが設定した「２５：夜景２」のシーンに係る設定情報の設定例を示す図である。
なお、図６には、図４，図５に示した設定情報の一部のみを示しており、ディジタルカメラ１０側に記憶されている設定情報に加えて、ディジタルカメラ２０側で使用可能に変換した「２５：夜景２」のシーンに係る設定情報の設定例も付記している。
【００６５】
ディジタルカメラ１０側に記憶されている設定情報は、シャッター速度として例えば「２秒」、絞り（Ｆ値）として「Ｆ８」、ＥＶ（Ｅｘｐｏｓｕｒｅ  Ｖａｌｕｅ）として「０」、ホワイトバランスとして「赤を＋１０％強調」、フラッシュ光強度として例えば「９０％」、色強調として「肌色を１５％強調」、コントラストとして「＋４単位」、シャープネスとして「＋５単位」としている状態を示している。ディジタルカメラ２０側で使用可能に変換した設定情報は、シャッター速度として例えば「１．８秒」、絞り（Ｆ値）として「Ｆ８」、ＥＶとして「０」、ホワイトバランスとして「赤を＋１５％強調」、フラッシュ光強度として例えば「８５％」、色強調として「肌色を１０％強調」、コントラストとして「＋５単位」、シャープネスとして「＋６単位」としている状態を示している。
【００６６】
なお、ユーザが設定する場合には、図４に示す全項目の設定が必ずしも必要ではなく、また、シャッター速度のように具体的な数値を入力するようにしてもよいし、設定時の操作性を向上するために幾つかのモードを用意しておき、それらの中からユーザに選択させるようにしてもよい。
【００６７】
上記のように、「２５：夜景２」のシーンに係る設定情報は、ディジタルカメラの機種タイプによってそれぞれ異なっており、他のシーンに係る設定情報も同様に異なっている。本実施形態では、撮影モードの設定情報の送信元のディジタルカメラ１０において、撮影モードの設定情報の送信先のディジタルカメラ２０本体で使用可能な撮影モードの設定情報に変換してから、ディジタルカメラ２０に送信するようにしている。
【００６８】
図７は、図１等に示すディジタルカメラ１０に設定されている設定情報の一つである色強調のパラメータ値を、ディジタルカメラ２０本体で使用可能な色強調のパラメータ値に変換する際に参照される変換テーブル例を示す図である。この変換テーブルは、図３に示すテーブルメモリ１２に保存されている。
図７には、ディジタルカメラ１０とディジタルカメラ２０とにおける赤、緑の色強調の度合いが対応させて記憶されている状態を示している。ここでは、例えばディジタルカメラ１０における赤の強調度である「＋５％」に対応する、ディジタルカメラ２０における赤の強調度が「＋４．５％」であるように、ディジタルカメラ１０で要求される強調度に対して、ディジタルカメラ２０で要求される強調度は１０％低い。
【００６９】
換言すると、所定のシーンを撮影しようとした場合に、ディジタルカメラ１０では赤の強調度を「＋５％」にする必要があるのに対して、ディジタルカメラ２０では赤の強調度を「＋４．５％」にするだけでよい。さもないと、ディジタルカメラ２０で撮影した画像が、赤色や緑色が強調されすぎたものとなってしまうなど、必ずしもディジタルカメラ１０で意図した画質を得られなくなってしまうからである。
このため、ディジタルカメラ１０からディジタルカメラ２０への撮影モードの設定情報の送信に先立って、ディジタルカメラ１０本体に設定されている撮影モードの設定情報を、図７に示すような変換テーブルを参照することによってディジタルカメラ２０における各設定情報の値に変換するようにしている。
に変換値である「０．９」を乗じることによって変換するようにしている。
【００７０】
なお、同様に、ディジタルカメラ１０では「肌色モード３」と設定されている場合に、ディジタルカメラ２０では「肌色モード２」と設定するだけでよい場合もある。また、結果として、強調度等の一部が同じになることもあるし、ディジタルカメラ１０，２０のいずれか一方がオート設定で、他方が具体的な数値等の設定となる場合もある。このような場合も、図７の変換テーブルを調整しておくことにより、適宜設定情報を変換することが可能である。
また、図７に示した色の強調度の変換テーブルのように、ある規則性（この場合は、ディジタルカメラ１０での設定情報の値を０．９倍するなど）に基づいて変換すればいい場合は、全ての値についてテーブルを持つのは冗長であるので、このような場合は、演算（０．９を乗じるなど）を行って変換を行ってもよい。
さらに、例えば、ディジタルカメラ１０で、テーブルにない赤色強調度が設定されていた場合などには、その設定値に近い値をもつテーブルの値から、補間を行うことでディジタルカメラ２０での設定情報値を求めることもできる。このようにすることで、テーブルとしては代表値のみを記憶させておけば良いこととなるため、テーブルの容量の削減・簡素化が可能になる。
【００７１】
また、変換値は、メーカ側で最新のものをインターネットなどのネットワークを通じて、ユーザに対して提供するようにしてもよい。すなわち、この場合には、ユーザはディジタルカメラ１０等をネットワークに接続して、所要の操作を行うことで、変換値を更新することができる。
【００７２】
［動作の説明］
図８は、図１，図３に示すディジタルカメラ１０，２０の動作を示すフローチャートである。ここでは、図４，図５に示すディジタルカメラ１０のすべての撮影モードの設定情報を逐次変換し、すべての設定情報の変換を終えた撮影モードからディジタルカメラ２０へ転送する場合を例に説明する。
【００７３】
なお、当然に、ディジタルカメラ１０のすべての撮影モードの設定情報を変換してから、一括してディジタルカメラ２０へ送信するようにしてもよいし、ディジタルカメラ１０のすべての撮影モードの設定情報のうち例えばユーザが指定した特定の撮影モードの設定情報だけを変換してからディジタルカメラ２０へ送信するようにしてもよい。
【００７４】
まず、ディジタルカメラ１０とディジタルカメラ２０とをＵＳＢケーブル３０等で接続した状態で、ディジタルカメラ１０，２０の双方の電源をオンする。この状態で、命令手段１１は、ディジタルカメラ２０に対して、ディジタルカメラ２０本体の機種タイプを送信するように命令する（ステップＳ１）。
すると、ディジタルカメラ２０では、応答手段２５が、命令手段１１からの命令に応じて、ＲＡＭ２４に記憶されているディジタルカメラ２０本体の機種タイプを読み出して、機種タイプ送信手段２１に出力する。
機種タイプ送信手段２１は、応答手段２５から出力されたディジタルカメラ２０本体の機種タイプを、ディジタルカメラ１０に送信する（ステップＳ１１）。
【００７５】
つぎに、ディジタルカメラ１０では、機種タイプ受信手段１７が、機種タイプ送信手段２１から送信されたディジタルカメラ２０本体の機種タイプを受信して変換手段１３に出力する。
変換手段１３は、機種タイプ受信手段１７から出力されたディジタルカメラ２０本体の機種タイプに基づいてテーブルメモリ１２を参照することによって、ディジタルカメラ２０本体の機種タイプに対応する撮影モードの設定情報の変換値を選択する（ステップＳ２）。
【００７６】
つづいて、変換手段１３は、設定情報読出手段１６に対して、ＲＡＭ１５に記憶されている撮影モードを読み出すように指示する。
設定情報読出手段１６は、変換手段１３からの指示に応じて、ＲＡＭ１５に記憶されている撮影モードを読み出して設定情報読出手段１６へ出力する。
変換手段１３は、設定情報読出手段１６から出力された撮影モードを参照して、変換対象の撮影モードを選択する（ステップＳ３）。
【００７７】
ここでは、図４，図５に付しているシーン番号の早い撮影モードから順に変換するようにしており、また、図４，図５に示すディジタルカメラ１０のすべての撮影モードの設定情報を逐次変換し、すべての設定情報の変換を終えた撮影モードからディジタルカメラ２０へ転送するようにしているので、初めてステップＳ３を実行した場合には、シーン番号１が割り当てられている「人物と風景１」を選択することになり、二回目のステップＳ３の実行の際にはシーン番号２が割り当てられている「人物と風景２」を選択することになる。
【００７８】
つぎに、変換手段１３は、選択したモード情報内の変換対象の設定情報を選択して、選択結果を設定情報読出手段１６に出力する（ステップＳ４）。
ここでは、図４，図５に示す各設定情報を左側に図示している方から右側に図示している方へ順に変換するようにしており、初めてステップＳ４を実行した場合には、「フォーカスＡＦ」を選択することになり、二回目のステップＳ３の実行の際には「シャッター速度」を選択することになる。
【００７９】
つづいて、設定情報読出手段１６は、変換手段１３から出力された選択結果に従って、変換対象の設定情報をＲＡＭ１５から読み出して、変換手段１３へ出力する（ステップＳ５）。
それから、変換手段１３は、ディジタルカメラ２０本体で使用可能とするために、設定情報読出手段１６によって読み出された設定情報を、ステップＳ２において選択してある変換テーブルに記憶されている変換値に基づいて変換する（ステップＳ６）。
【００８０】
そして、変換手段１３は、変換した設定情報をＲＡＭ１５に一時的に記憶する（ステップＳ７）。
つぎに、変換手段１３は、ステップＳ３で選択した撮影モードの設定情報に、未変換の設定情報があるか否か、すなわち変換が必要な設定情報があるか否かを判定する（ステップＳ８）。
【００８１】
ステップＳ８の判定の結果、変換が必要な設定情報がある場合には、ステップＳ４〜ステップＳ７を実行するというループが形成され、変換対象の撮影モードのすべての設定情報が変換される。
一方、ステップＳ８の判定の結果、変換が必要な設定情報がない場合には、変換対象の撮影モードのすべての設定情報が変換されているので、変換手段１３は、設定情報送信手段１４に対して、ＲＡＭ１５に一時的に記憶されている変換後の撮影モードの設定情報をディジタルカメラ２０に対して送信するよう命令する。
【００８２】
設定情報送信手段１４は、変換手段１３からの命令に従って、ＲＡＭ１５から変換後の撮影モードの設定情報を読み出して、ディジタルカメラ２０に対して送信する（ステップＳ９）。
すると、ディジタルカメラ２０では、受信手段２２が、設定情報送信手段１４から送信された撮影モードの設定情報を受信して更新手段２３に出力する。
更新手段２３は、受信手段２２から出力された撮影モードの設定情報を入力すると、ディジタルカメラ２０本体に設定してある撮影モードの設定情報を、受信手段２２から出力された撮影モードの設定情報に更新する（ステップＳ１２）。
【００８３】
一方、ディジタルカメラ１０では、変換手段１３が、設定情報が未変換の撮影モードがあるか否か、すなわち設定情報の変換が必要な撮影モードがあるか否かを判定する（ステップＳ１０）。
ステップＳ１０の判定の結果、設定情報の変換が必要な撮影モードがある場合には、ステップＳ３〜ステップＳ９を実行するというループが形成され、変換すべき撮影モードの設定情報のすべてが変換される。
一方、ステップＳ１１の判定の結果、設定情報の変換が必要な撮影モードがない場合には、予定されている撮影モードの設定情報のすべてが変換されているので、図８に示す処理を終了する。
【００８４】
なお、本実施形態では、ステップＳ９において、変換後の撮影モードの設定情報を送信する際に、変換前の撮影モードの設定情報に基づくサンプル画像を変換後の撮影モードの設定情報に基づくサンプル画像として併せて送信するようにしてもよい。これにより、ユーザは撮影モードの設定情報を送信された別の機種でも、このサンプル画像を見ることにより、簡易に撮影した画像がどのように映し出されるのかが人目でわかることができる。
【００８５】
（実施形態２）
［構成の説明］
図９は、本発明の実施形態２の撮影モードの設定情報転送システムの模式的な構成図である。
図９には、ディジタルカメラ１１０からディジタルカメラ１１０本体に設定されている撮影モードの設定情報を、情報処理装置であるパーソナルコンピュータ４０に対してＵＳＢケーブル５０を介して送信し、パーソナルコンピュータ４０でディジタルカメラ１１０に設定されている撮影モードの設定情報をディジタルカメラ１２０本体で使用可能な撮影モードの設定情報に変換してから、ＵＳＢケーブル６０を介してディジタルカメラ１２０に送信することによって撮影モードの設定情報を転送する撮影モードの設定情報転送システムを示している。
【００８６】
なお、実施形態１と同様に、ＵＳＢケーブル５０，６０の少なくとも一方に代えて、赤外線、有線／無線ＬＡＮ等でディジタルカメラ１１０及びディジタルカメラ１２０とパーソナルコンピュータ４０とを接続するようにしてもよい。
【００８７】
図１０は、図９に示すディジタルカメラ１１０，ディジタルカメラ１２０及びパーソナルコンピュータ（ＰＣ）４０の模式的な内部構成を示す機能ブロック図である。
ディジタルカメラ１１０は、以下説明するＲＡＭ１１１と、設定情報読出手段１１２と、送信手段１１３と、機種タイプ読出手段１１４とを備える。
【００８８】
ＲＡＭ１１１は、ディジタルカメラ１１０本体の撮影モードの設定情報が設定されているメモリであり、図２に示す内蔵フラッシュメモリ１１Ａに相当する。設定情報読出手段１１２は、パーソナルコンピュータ４０側からの要求に応じてＲＡＭ１１１に記憶されている撮影モードの設定情報を読み出して、送信手段１１３へ出力するものであり、図２に示すＤＳＰ／ＣＰＵ３Ａに相当する。
【００８９】
機種タイプ読出手段１１４は、パーソナルコンピュータ４０側からの要求に応じてＲＡＭ１１１に記憶されている機種タイプを読み出して、送信手段１１３へ出力するものであり、図２に示すＤＳＰ／ＣＰＵ３Ａに相当する。
送信手段１１３は、設定情報読出手段１１２から出力されたディジタルカメラ１１０本体の撮影モードの設定情報と機種タイプ読出手段１１４から出力されたディジタルカメラ１１０本体の機種タイプとを、パーソナルコンピュータ４０側に送信するものであり、図２に示す通信用インターフェイス１４Ａに相当する。
【００９０】
ディジタルカメラ１２０は、以下説明する機種タイプ送信手段１２１と、受信手段２２と、更新手段１２３と、ＲＡＭ１２４と、応答手段１２５とを備えている。
ＲＡＭ１２４は、ディジタルカメラ１２０本体の撮影モードの設定情報が設定されているメモリであり、図２に示す内蔵フラッシュメモリ１１Ａに相当する。応答手段１２５は、パーソナルコンピュータ４０側からの命令に応じて、ＲＡＭ１２４に記憶されているディジタルカメラ１２０本体の機種タイプを読み出して機種タイプ送信手段１２１へ出力するものである。
【００９１】
機種タイプ送信手段１２１は、応答手段１２５から出力されたディジタルカメラ２０本体の機種タイプを入力して、パーソナルコンピュータ４０側に送信するものである。
受信手段１２２は、パーソナルコンピュータ４０側から送信された撮影モードの設定情報を受信して、更新手段１２３へ出力するものであり、図２に示す通信用インターフェイス１４Ａに相当する。
更新手段１２３は、ＲＡＭ１２４に記憶されている撮影モードの設定情報を、受信手段１２２から出力された撮影モードの設定情報に更新するものであり、図２に示すＤＳＰ／ＣＰＵ３Ａに相当する。
【００９２】
パーソナルコンピュータ４０は、以下説明するテーブルメモリ３１と、命令手段３２と、要求手段３３と、変換手段３４と、送信手段３５と、ＲＡＭ３６と、受信手段３７とを備えている。
テーブルメモリ３１は、撮影モードの設定情報の送信元及び送信先のディジタルカメラの機種タイプと機種タイプに応じた撮影モードの設定情報の変換値とが対応させて記憶されているメモリである。
ＲＡＭ３６は、受信手段３７によって受信されたディジタルカメラ１１０本体に設定されている撮影モードの設定情報を記憶したり、変換手段３４によって変換された撮影モードの設定情報を一時的に記憶するものである。
【００９３】
命令手段３２は、ユーザからの撮影モードの設定情報の転送指示を契機として、ディジタルカメラ１２０側に対して、ディジタルカメラ１２０本体の機種タイプを送信するように命令するものである。
要求手段３３は、ユーザからの撮影モードの設定情報の転送指示を契機として、ディジタルカメラ１１０側に対して、ディジタルカメラ１１０本体に設定されている撮影モードの設定情報及びディジタルカメラ１１０本体の機種タイプを送信するように要求するものである。
【００９４】
受信手段３７は、要求手段３３からの要求に応じてディジタルカメラ１１０から送信されたディジタルカメラ１１０本体の撮影モードの設定情報とディジタルカメラ１１０本体の機種タイプとを受信して、ディジタルカメラ１１０本体の撮影モードの設定情報を変換手段１３へ出力するとともに、ディジタルカメラ１１０本体の撮影モードの設定情報を変換手段３４へ出力するものである。
また、受信手段３７は、命令手段３２からの命令に応じてディジタルカメラ１２０側から送信されたディジタルカメラ２０本体の機種タイプを受信して、変換手段１３へ出力するものである。
【００９５】
変換手段３４は、受信手段３７から出力されたディジタルカメラ１１０，１２０本体の機種タイプに基づいて、テーブルメモリ３１を参照することにより対応する変換値を読み出して、ディジタルカメラ１１０本体に設定されている撮影モードの設定情報をディジタルカメラ１２０本体で使用可能な撮影モードの設定情報に変換するものである。
送信手段３５は、変換手段３４からの命令に応じて、ＲＡＭ３６に一時的に記憶されている変換後の撮影モードの設定情報を読み出して、ディジタルカメラ１２０側に対して送信するものである。
【００９６】
［動作の説明］
図１１は、図９，図１０に示すディジタルカメラ１１０，１２０及びパーソナルコンピュータ４０の動作を示すフローチャートである。ここでは、図４，図５に示すすべての撮影モードの設定情報をディジタルカメラ１１０からディジタルカメラ１２０へ転送する場合を例に説明する。
まず、ディジタルカメラ１１０とパーソナルコンピュータ４０とをＵＳＢケーブル５０等で接続し、ディジタルカメラ１２０とパーソナルコンピュータ４０とをＵＳＢケーブル６０等で接続した状態で、ディジタルカメラ１１０，２０の双方の電源をオンする。この状態で、要求手段３３は、ディジタルカメラ１１０に対して、ディジタルカメラ１１０本体の撮影モードの設定情報及びディジタルカメラ１１０本体の機種タイプを送信するように要求する（ステップＳ４１）。
【００９７】
すると、ディジタルカメラ１１０では、設定情報読出手段１１２が、要求手段３３からの要求に応じて、ＲＡＭ１１１に記憶されているディジタルカメラ１１０本体の撮影モードの設定情報を読み出して、送信手段１１３に出力するとともに、機種タイプ読出手段１１４によって、ＲＡＭ１１１に記憶されているディジタルカメラ１１０本体の機種タイプを読み出して、送信手段１１３に出力する（ステップＳ４２）。
送信手段１１３は、設定情報読出手段１１２から出力されたディジタルカメラ１１０本体の撮影モードの設定情報と、機種タイプ読出手段１１４から出力されたディジタルカメラ１１０本体の機種タイプとを、パーソナルコンピュータ４０に送信する（ステップＳ４４）。
【００９８】
パーソナルコンピュータ４０では、受信手段３７が、送信手段１１３によって送信されたディジタルカメラ１１０本体の撮影モードの設定情報とディジタルカメラ１１０本体の機種タイプとを受信して、ディジタルカメラ１１０本体の機種タイプを変換手段３４へ出力するとともに、ディジタルカメラ１１０本体の撮影モードの設定情報をＲＡＭ３６に記憶する。
また、パーソナルコンピュータ４０では、命令手段３２が、ディジタルカメラ１２０に対して、ディジタルカメラ１２０本体の機種タイプを送信するように命令する（ステップＳ４３）。
【００９９】
すると、ディジタルカメラ１２０では、応答手段１２５が、命令手段１１からの命令に応じて、ＲＡＭ１２４に記憶されているディジタルカメラ１２０本体の機種タイプを読み出して、機種タイプ送信手段１２１に出力する。
機種タイプ送信手段１２１は、応答手段１２５から出力されたディジタルカメラ１２０本体の機種タイプをパーソナルコンピュータ４０に送信する（ステップＳ４５）。
【０１００】
つぎに、パーソナルコンピュータ４０では、受信手段３７が、機種タイプ送信手段１２１から送信されたディジタルカメラ１２０本体の機種タイプを受信して変換手段１３に出力する。
変換手段３４は、受信手段３７から出力されたディジタルカメラ１１０本体の機種タイプとディジタルカメラ１２０本体の機種タイプとに基づいてテーブルメモリ３１を参照することによって、ディジタルカメラ１１０本体の撮影モードの設定情報を、ディジタルカメラ１２０本体で使用可能な撮影モードの設定情報に変換する際に用いる変換値を選択する（ステップＳ４６）。
つづいて、変換手段１３は、ＲＡＭ１５に記憶されているディジタルカメラ１１０本体に設定されている撮影モードを読み出し、変換対象の撮影モードの設定情報を選択する（ステップＳ４７）。
ここでの選択手法は、実施形態１と同様としており、初めてステップＳ３を実行した場合には、シーン番号１が割り当てられている「人物と風景１」を選択することになり、二回目のステップＳ３の実行の際にはシーン番号２が割り当てられている「人物と風景２」を選択することになる。
【０１０１】
つぎに、変換手段３４は、選択したモード情報内の変換対象の設定情報を選択する（ステップＳ４８）。
ここでの選択手法は、実施形態１と同様としており、初めてステップＳ４８を実行した場合には、「フォーカスＡＦ」を選択することになり、二回目のステップＳ３の実行の際には「シャッター速度」を選択することになる。
【０１０２】
つづいて、変換手段３４は、ステップＳ４８において選択した変換対象の設定情報を、ＲＡＭ１５から読み出す（ステップＳ４９）。
それから、変換手段３４は、ディジタルカメラ１２０本体で使用可能とするために、ステップＳ４９において読み出した設定情報を、ステップＳ４６において選択してある変換テーブルに記憶されている変換値に基づいて変換する（ステップＳ５０）。
そして、変換手段３４は、変換した設定情報をＲＡＭ３６に一時的に記憶する（ステップＳ５１）。
【０１０３】
つぎに、変換手段３４は、変換が必要な設定情報があるか否かを判定する（ステップＳ５２）。
ステップＳ５２の判定の結果、変換が必要な設定情報がある場合には、ステップＳ４８〜ステップＳ５１を実行するというループが形成され、変換対象の撮影モードのすべての設定情報が変換される。
【０１０４】
一方、ステップＳ５２の判定の結果、変換が必要な設定情報がない場合には、変換対象の撮影モードのすべての設定情報が変換されているので、変換手段３６は、設定情報送信手段１１４に対して、ＲＡＭ３６に一時的に記憶されている変換後の撮影モードの設定情報を一時的にそのまま記憶しておく（ステップＳ５３）。
【０１０５】
そして、パーソナルコンピュータ４０では、変換手段３４が、まだ設定情報の変換が必要な撮影モードがあるか否かを判定する（ステップＳ５４）。
ステップＳ５４の判定の結果、設定情報の変換が必要な撮影モードがある場合には、ステップＳ４７〜ステップＳ５３を実行するというループが形成され、変換すべき撮影モードの設定情報のすべてが変換される。
一方、ステップＳ５４の判定の結果、設定情報の変換が必要な撮影モードがない場合には、予定されている撮影モードの設定情報のすべてが変換されているので、ＲＡＭ３６に一時的に記憶されている変換後の撮影モードの設定情報をディジタルカメラ１２０に対して送信するよう命令する。
設定情報送信手段１１４は、変換手段３４からの命令に従って、ＲＡＭ３６に記憶されている変換後の撮影モードの設定情報を読み出して、ディジタルカメラ１２０に対して送信する（ステップＳ５５）。
【０１０６】
すると、ディジタルカメラ１２０では、受信手段１２２が、送信手段３５から送信された撮影モードの設定情報を受信して更新手段１２３に出力する。
更新手段１２３は、受信手段１２２から出力された撮影モードの設定情報を入力すると、ディジタルカメラ１２０本体に設定してある撮影モードの設定情報を、受信手段１２２から出力された撮影モードの設定情報に更新する（ステップＳ５６）。そして、撮影モードの設定情報のすべてが変換して、送信されたので、図１１に示す処理を終了する。
【０１０７】
なお、本実施形態では、変換手段３４に、実施形態１で説明した設定情報読出手段１６に相当する部分を内蔵した例を示したが、実施形態１と同様に、別途設定情報読出手段１６に相当する部分を備えてもよい。
また、本実施形態においても、ステップＳ５３において、変換後の撮影モードの設定情報を送信する際に、変換後の撮影モードの設定情報に基づくサンプル画像を送信するようにして、ユーザに確認を促すことを可能にしている。
いる。
【０１０８】
（実施形態３）
［構成の説明］
図１２は、本発明の実施形態３の撮影モードの設定情報転送システムにおけるディジタルカメラ２１０，ディジタルカメラ２２０の模式的な内部構成を示す機能ブロック図である。
図１２には、ディジタルカメラ２１０からディジタルカメラ２１０本体に設定されている撮影モードの設定情報を、ＵＳＢケーブル３０を介して送信し、ディジタルカメラ２２０でディジタルカメラ２１０に設定されている撮影モードの設定情報をディジタルカメラ２２０本体で使用可能な撮影モードの設定情報に変換することによって撮影モードの設定情報を転送する撮影モードの設定情報転送システムを示している。
【０１０９】
なお、実施形態１等と同様に、ＵＳＢケーブル３０の少なくとも一方に代えて、赤外線、有線／無線ＬＡＮ等でディジタルカメラ２１０とディジタルカメラ２２０とを接続するようにしてもよい。
【０１１０】
ディジタルカメラ２１０は、以下説明するＲＡＭ２１１と、設定情報読出手段２１２と、設定情報送信手段２１３と、機種タイプ送信手段２１４と、応答手段２１５とを備える。
ＲＡＭ２１１は、ディジタルカメラ２１０本体の撮影モードの設定情報が記憶されているメモリであり、図２に示す内蔵フラッシュメモリ１１Ａに相当する。
【０１１１】
応答手段２１５は、ディジタルカメラ２２０側から命令に応じてディジタルカメラ２１０本体に設定されている撮影モードの設定情報及びディジタルカメラ２１０本体の機種タイプをディジタルカメラ２２０側へ出力するように設定情報読出手段２１２に命令するものであり、図２に示すＤＳＰ／ＣＰＵ３Ａに相当する。
設定情報読出手段２１２は、応答手段２１５からの命令に応じてＲＡＭ２１１に記憶されている撮影モードの設定情報を読み出して、設定情報送信手段２１３へ出力するものであり、図２に示すＤＳＰ／ＣＰＵ３Ａに相当する。
【０１１２】
設定情報送信手段２１３は、設定情報読出手段２１２から出力された撮影モードの設定情報を、ディジタルカメラ１２０側に送信するものであり、図２に示す通信用インターフェイス１４Ａに相当する。
機種タイプ送信手段２１４は、応答手段２１５から出力されたディジタルカメラ２１０本体の機種タイプをディジタルカメラ２２０側に送信するものであり、図２に示す通信用インターフェイス１４Ａに相当する。
【０１１３】
ディジタルカメラ２２０は、以下説明する命令手段２２１と、設定情報受信手段２２２と、機種タイプ受信手段２２３と、ＲＡＭ２２４と、変換手段２２５と、更新手段２２６と、テーブルメモリ２２７とを備えている。
テーブルメモリ２２７は、ディジタルカメラの機種タイプと機種タイプに応じた撮影モードの設定情報の変換値とが対応させて記憶されているメモリである。ＲＡＭ１５は、図２に示す内蔵フラッシュメモリ１１ＡおよびＤＲＡＭ１０Ａに相当する。
ＲＡＭ２２４は、ディジタルカメラ２２０本体の撮影モードの設定情報が記憶されているメモリであり、図２に示す内蔵フラッシュメモリ１１Ａに相当する。
【０１１４】
命令手段２２１は、ユーザからの撮影モードの設定情報の転送指示を契機として、ディジタルカメラ２１０側に対して、ディジタルカメラ２１０本体の撮影モードの設定情報及び機種タイプを送信するように命令するものであり、図２に示すＤＳＰ／ＣＰＵ３Ａに相当する。
設定情報受信手段２２２は、ディジタルカメラ２１０側から送信された撮影モードの設定情報を受信して、ＲＡＭ２２４へ一時的に記憶するものであり、図２に示す通信用インターフェイス１４Ａに相当する。
機種タイプ受信手段２２３は、ディジタルカメラ２１０側から送信された機種タイプを受信して、変換手段２２５へ出力するものであり、図２に示す通信用インターフェイス１４Ａに相当する。
【０１１５】
変換手段２２５は、機種タイプ受信手段２２３から出力されたディジタルカメラ２１０本体の機種タイプに基づいて、テーブルメモリ２２７を参照することにより対応する変換値を読み出してＲＡＭ２２４に一時的に記憶されているディジタルカメラ２１０本体の撮影モードの設定情報をディジタルカメラ２２０本体で使用可能な撮影モードの設定情報に変換して、更新手段２２６へ出力するものであり、図２に示すＤＳＰ／ＣＰＵ３Ａに相当する。
更新手段２２６は、ＲＡＭ２２４に記憶されているディジタルカメラ２２０本体の撮影モードの設定情報を、変換手段２２５から出力された撮影モードの設定情報に更新するものであり、図２に示すＤＳＰ／ＣＰＵ３Ａに相当する。
【０１１６】
［動作の説明］
図１３は、図１２に示すディジタルカメラ２１０，２２０の動作を示すフローチャートである。ここでは、図４，図５に示すすべての撮影モードの設定情報をディジタルカメラ２１０からディジタルカメラ２２０へ転送する場合を例に説明する。
まず、ディジタルカメラ２１０とディジタルカメラ２２０とをＵＳＢケーブル３０等で接続した状態で、ディジタルカメラ２１０，２２０の双方の電源をオンする。この状態で、ディジタルカメラ２２０の命令手段２２１は、ディジタルカメラ２１０に対して、ディジタルカメラ２１０本体の撮影モードの設定情報及び機種タイプを送信するように命令する（ステップＳ２１）。
【０１１７】
すると、ディジタルカメラ２１０では、応答手段２１５が、命令手段２２１からの命令に応じて、設定情報読出手段２１２に対して、ＲＡＭ２１１に記憶されているディジタルカメラ２１０本体の撮影モードの設定情報を読み出して、設定情報送信手段２１３に出力するように命令する。
設定情報読出手段２１２は、応答手段２１５からの命令に従って、ＲＡＭ２１１に記憶されているディジタルカメラ２１０本体の撮影モードの設定情報を読み出して、設定情報送信手段２１３に出力する（ステップＳ２２）。
【０１１８】
設定情報送信手段２１３は、設定情報読出手段２１２から出力されたディジタルカメラ２１０本体の撮影モードの設定情報を、ディジタルカメラ２２０に送信する（ステップＳ２３）。
ディジタルカメラ２２０では、設定情報受信手段２２２が、設定情報送信手段２１３から送信されたディジタルカメラ２１０本体の撮影モードの設定情報を受信して、ＲＡＭ２２４に記憶する。
【０１１９】
つづいて、ディジタルカメラ２１０では、応答手段２１５が、命令手段２２１からの命令に応じて、ＲＡＭ２１１に記憶されているディジタルカメラ２１０本体の機種タイプを読み出して、機種タイプ送信手段２１４に出力する。
機種タイプ送信手段２１４は、応答手段２１５から出力されたディジタルカメラ２１０本体の機種タイプを、ディジタルカメラ２２０に送信する（ステップＳ２４）。
【０１２０】
ディジタルカメラ２２０では、機種タイプ受信手段２２３によって、機種タイプ送信手段２１４から送信されたディジタルカメラ２１０本体の機種タイプを受信して変換手段２２５へ出力する。
変換手段３４は、機種タイプ受信手段２２３から出力されたディジタルカメラ２１０本体の機種タイプに基づいて、テーブルメモリ２２７を参照することによって、ディジタルカメラ２１０本体に設定されている撮影モードの設定情報を、ディジタルカメラ２２０本体で使用可能に変換する際に用いる変換値を選択する（ステップＳ２５）。
【０１２１】
つづいて、変換手段２２５は、ＲＡＭ２２４に記憶されているディジタルカメラ２１０本体に設定されている撮影モードを読み出し、変換対象の撮影モードの設定情報を選択する（ステップＳ２６）。
ここでの選択手法は、実施形態１と同様としており、初めてステップＳ２６を実行した場合には、シーン番号１が割り当てられている「人物と風景１」を選択することになり、二回目のステップＳ２６の実行の際にはシーン番号２が割り当てられている「人物と風景２」を選択することになる。
【０１２２】
つぎに、変換手段２２５は、選択したモード情報内の変換対象の設定情報を選択する（ステップＳ２７）。
ここでの選択手法は、実施形態１と同様としており、初めてステップＳ２７を実行した場合には、「フォーカスＡＦ」を選択することになり、二回目のステップＳ２７の実行の際には「シャッター速度」を選択することになる。
【０１２３】
つづいて、変換手段２２５は、ステップＳ２７において選択した設定情報を、ＲＡＭ２２４から読み出す（ステップＳ２８）。
それから、変換手段２２５は、ディジタルカメラ２２０本体で使用可能とするために、ステップＳ２８において読み出した設定情報を、ステップＳ２５において選択してある変換テーブルに記憶されている変換値に基づいて変換する（ステップＳ２９）。
【０１２４】
そして、変換手段２２５は、変換した設定情報をＲＡＭ２２４に一時的に記憶する（ステップＳ３０）。
つぎに、変換手段２２５は、変換が必要な設定情報があるか否かを判定する（ステップＳ３１）。
【０１２５】
ステップＳ３１の判定の結果、変換が必要な設定情報がある場合には、ステップＳ２７〜ステップＳ３０を実行するというループが形成され、変換対象の撮影モードのすべての設定情報が変換される。
【０１２６】
一方、ステップＳ３１の判定の結果、変換が必要な設定情報がない場合には、変換対象の撮影モードのすべての設定情報が変換されているので、変換手段２２５は、まだ設定情報の変換が必要な撮影モードがあるか否かを判定する（ステップＳ３２）。
ステップＳ３２の判定の結果、設定情報の変換が必要な撮影モードがある場合には、ステップＳ２６〜ステップＳ３１を実行するというループが形成され、変換すべき撮影モードの設定情報のすべてが変換される。
一方、ステップＳ３２の判定の結果、設定情報の変換が必要な撮影モードがない場合には、予定されている撮影モードの設定情報すべてが変換されているので、図１３に示す処理を終了する。
【０１２７】
なお、本実施形態においては、ステップＳ２３において、撮影モードの設定情報を送信する際に、変換後の撮影モードの設定情報に基づくサンプル画像を送信するようにして、ユーザに確認を促すことを可能にしている。
いる。
【０１２８】
以上、本発明の各実施形態で説明したディジタルカメラ１０，２０等の動作は、ディジタルカメラ１０，２０等に搭載するコンピュータに実行させるようなプログラムとして、記憶媒体等に格納してもよい。
また、本実施形態では、ディジタルカメラを例に説明したが、ディジタルスチルカメラ、ビデオカメラ（ムービーカメラ）などの撮像装置にも適用できる。
【０１２９】
【発明の効果】
以上説明したように、本発明によると、撮像装置相互を接続して、一方の撮像装置から他方の撮像装置に対して、撮影モードの設定情報を送信するようにしているので、別の撮像装置に手動で各種設定を行わなくても、他方の撮像装置で同様の画質の画像を撮影することができる。
また、本発明によると、撮影モードの設定情報の送信元あるいは送信先の撮像装置、又は撮像装置相互を中継する情報処理装置で、撮影モードの設定情報の送信先の撮像装置の機種タイプに応じて、撮影モードの設定情報を変換するようにしているので、撮像装置相互の機種タイプの相違に応じた設定を行うことができる。
【図面の簡単な説明】
【図１】本発明の実施形態１の撮影モードの設定情報転送システムの概要図である。
【図２】図１に示すディジタルカメラ１０の模式的な内部構成を示すブロック図である。
【図３】図１に示すディジタルカメラ１０及びディジタルカメラ２０の模式的な内部構成を示す機能ブロック図である。
【図４】図１等に示すディジタルカメラ１０の撮影モードの設定情報の設定情報の設定例を示す図である。
【図５】図１等に示すディジタルカメラ１０の撮影モードの設定情報の設定情報の設定例を示す図である。
【図６】図５に示す「２５：カスタム１」としてユーザが設定した「２５：夜景２」のシーンに係る設定情報の設定例を示す図である。
【図７】図１等に示すディジタルカメラ１０に設定されている設定情報の色強調をディジタルカメラ２０本体で使用可能な色強調に変換する際に参照される変換テーブル例を示す図である。
【図８】図１，図３に示すディジタルカメラ１０，２０の動作を示すフローチャートである。
【図９】本発明の実施形態２の撮影モードの設定情報転送システムの模式的な構成図である。
【図１０】図９に示すディジタルカメラ１１０，ディジタルカメラ１２０及びパーソナルコンピュータ（ＰＣ）４０の模式的な内部構成を示す機能ブロック図である。
【図１１】図９，図１０に示すディジタルカメラ１１０，１２０及びパーソナルコンピュータ４０の動作を示すフローチャートである。
【図１２】本発明の実施形態３の撮影モードの設定情報転送システムにおけるディジタルカメラ２１０，ディジタルカメラ２２０の模式的な内部構成を示す機能ブロック図である。
【図１３】図１２に示すディジタルカメラ２１０，２２０の動作を示すフローチャートである。
【符号の説明】
１０，２０，１１０，１２０，２１０，２２０  ディジタルカメラ
１１，３２，２２１  命令手段
１２，３１，２２７  テーブルメモリ
１３，３４，２２５  変換手段
１４，２１３  設定情報送信手段
１５，２４，３６，１１１，１２４，２１１，２２４  ＲＡＭ
１６，１１２，２１２  設定情報読出手段
１７，２２３  機種タイプ受信手段
２１，１２１，２１４  機種タイプ送信手段
２２，３７，１２２  受信手段
２３，１２３，２２６  更新手段
２５，１２５，２１５  応答手段
３０，５０，６０  ＵＳＢケーブル
３３  要求手段
３５，１１３，  送信手段
４０  パーソナルコンピュータ
１１４  機種タイプ読出手段
２２２  設定情報受信手段
【図１】
2005010627.tif 000003
【図２】
2005010627.tif 000004
【図３】
2005010627.tif 000005
【図４】
2005010627.tif 000006
【図５】
2005010627.tif 000007
【図６】
2005010627.tif 000008
【図７】
2005010627.tif 000009
【図８】
2005010627.tif 000010
【図９】
2005010627.tif 000011
【図１０】
2005010627.tif 000012
【図１１】
2005010627.tif 000013
【図１２】
2005010627.tif 000014
【図１３】
2005010627.tif 000015